【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
少なくとも内蔵脂肪面積および皮下脂肪面積を含む体脂肪面積と相関のある変数値を測定する変数測定手段または／および体脂肪面積と相関のある変数値を入力する変数入力手段と、体脂肪面積を推定する回帰式を記憶する記憶手段と、前記変数測定手段または／および変数入力手段によるデータと前記記憶手段に記憶された体脂肪面積を推定する回帰式とに基づいて体脂肪面積を演算する演算手段と、外側に演算された皮下脂肪面積、内側に演算された内蔵脂肪面積を同心円として表したグラフにて表示する表示手段とを備えていることを特徴とする体脂肪面積を求める装置。
【請求項２】
少なくとも性別、年齢、身長の一つを含む個人パラメーターを入力する個人パラメーター入力手段または／および少なくとも性別、年齢、身長の一つを含む個人パラメーターを測定する個人パラメーター測定手段とを更に備え、前記演算手段は、前記変数測定手段または／および変数入力手段によるデータと前記個人パラメーター入力手段または／および個人パラメーター測定手段によるデータと前記記憶手段に記憶された体脂肪面積を推定する回帰式とに基づいて体脂肪面積を演算する請求項１に記載の体脂肪面積を求める装置。
【請求項３】
前記表示手段は、判定指標として、目盛線を表示する請求項１または２に記載の体脂肪面積を求める装置。
【請求項４】
前記目盛線は、段階的に設けられている請求項３に記載の体脂肪面積を求める装置。
【請求項５】
前記目盛線により形成された領域毎に表示パターンが変化する請求項４に記載の体脂肪面積を求める装置。
【請求項６】
前記表示パターンは、形状、色、柄、模様、色彩、点滅状態である請求項５に記載の体脂肪面積を求める装置。
【請求項７】
前記目盛線は、内臓脂肪面積が１００ｃｍ2であることを示す箇所および内臓脂肪面積が１３０ｃｍ2であることを示す箇所に設けられた同心円の目盛線である請求項４から６のうちのいずれか１項に記載の体脂肪面積を求める装置。
【請求項８】
体脂肪面積と相関のある前記変数は、体幹部体脂肪、全身体脂肪、全身のインピーダンス、ＢＭＩ、カウブ指数、ローレル指数のいずれか少なくとも一つである請求項１から７のうちのいずれか１項に記載の体脂肪面積を求める装置。
【請求項９】
前記体幹部体脂肪は、体幹部体脂肪率または体幹部体脂肪量である請求項８に記載の体脂肪面積を求める装置。
【請求項１０】
前記全身体脂肪は、全身体脂肪率または全身体脂肪量である請求項８に記載の体脂肪面積を求める装置。
【請求項１１】
体脂肪面積と相関のある変数値を測定する変数測定手段または／および体脂肪面積と相関のある変数値を入力する変数入力手段と、体脂肪面積を推定する回帰式を記憶する記憶手段と、前記変数測定手段または／および変数入力手段によるデータと前記記憶手段に記憶された体脂肪面積を推定する回帰式とに基づいて体脂肪面積を演算する演算手段と、演算結果を縦軸に肥満判定指数、横軸に前記体脂肪面積としたマトリクス状のグラフに表示する表示手段とを備えていることを特徴とする体脂肪面積を求める装置。
【請求項１２】
前記体脂肪面積は、内臓脂肪の値または皮下脂肪の値または総脂肪の値である請求項１１に記載の体脂肪面積を求める装置。
【請求項１３】
前記肥満判定指数は、体格指数またはカウブ指数またはローレル指数である請求項１１に記載の体脂肪面積を求める装置。
【請求項１４】
体脂肪面積と相関のある前記変数は、体幹部体脂肪、全身体脂肪、全身インピーダンス、ＢＭＩ、カウブ指数、ローレル指数のいずれか少なくとも一つである請求項１１から１３のうちのいずれか１項に記載の体脂肪面積を求める装置。
【請求項１５】
前記体幹部体脂肪は、体幹部体脂肪率または体幹部体脂肪量である請求項１４に記載の体脂肪面積を求める装置。
【請求項１６】
前記全身体脂肪は、全身体脂肪率または全身体脂肪量である請求項１４に記載の体脂肪面積を求める装置。
【請求項１７】
前記表示手段は、判定指標として、目盛線を表示する請求項１１から１６のうちのいずれか１項に記載の体脂肪面積を求める装置。
【請求項１８】
前記目盛線は、段階的に設けられている請求項１７に記載の体脂肪面積を求める装置。
【請求項１９】
前記目盛線は、内臓脂肪面積が１００ｃｍ2であることを示す箇所および内臓脂肪面積が１３０ｃｍ2であることを示す箇所に設けられた目盛線である請求項１８に記載の体脂肪面積を求める装置。
【手続補正２】
【補正対象書類名】明細書
【補正対象項目名】０００５
【補正方法】変更
【補正の内容】
【０００５】
【課題を解決するための手段】
本発明の一つの観点によれば、少なくとも内蔵脂肪面積および皮下脂肪面積を含む体脂肪面積と相関のある変数値を測定する変数測定手段または／および体脂肪面積と相関のある変数値を入力する変数入力手段と、体脂肪面積を推定する回帰式を記憶する記憶手段と、前記変数測定手段または／および変数入力手段によるデータと前記記憶手段に記憶された体脂肪面積を推定する回帰式とに基づいて体脂肪面積を演算する演算手段と、外側に演算された皮下脂肪面積、内側に演算された内蔵脂肪面積を同心円として表したグラフにて表示する表示手段とを備えた体脂肪面積を求める装置が提供される。
【手続補正３】
【補正対象書類名】明細書
【補正対象項目名】０００６
【補正方法】変更
【補正の内容】
【０００６】
本発明の一つの実施の形態によれば、体脂肪面積を求める装置は、少なくとも性別、年齢、身長の一つを含む個人パラメーターを入力する個人パラメーター入力手段または／および少なくとも性別、年齢、身長の一つを含む個人パラメーターを測定する個人パラメーター測定手段とを更に備え、前記演算手段は、前記変数測定手段または／および変数入力手段によるデータと前記個人パラメーター入力手段または／および個人パラメーター測定手段によるデータと前記記憶手段に記憶された体脂肪面積を推定する回帰式とに基づいて体脂肪面積を演算する。
【手続補正４】
【補正対象書類名】明細書
【補正対象項目名】０００７
【補正方法】変更
【補正の内容】
【０００７】
本発明の別の実施の形態によれば、前記表示手段は、判定指標として、目盛線を表示する。本発明のさらに別の実施の形態によれば、前記目盛線は、段階的に設けられている。本発明のさらに別の実施の形態によれば、前記目盛線により形成された領域毎に表示パターンが変化する。本発明のさらに別の実施の形態によれば、前記表示パターンは、形状、色、柄、模様、色彩、点滅状態である。本発明のさらに別の実施の形態によれば、前記目盛線は、内臓脂肪面積が１００ｃｍ2であることを示す箇所および内臓脂肪面積が１３０ｃｍ2であることを示す箇所に設けられた同心円の目盛線である。
【手続補正５】
【補正対象書類名】明細書
【補正対象項目名】０００８
【補正方法】変更
【補正の内容】
【０００８】
本発明のさらに別の実施の形態によれば、体脂肪面積と相関のある前記変数は、体幹部体脂肪、全身体脂肪、全身のインピーダンス、ＢＭＩ、カウブ指数、ローレル指数のいずれか少なくとも一つである。
【手続補正６】
【補正対象書類名】明細書
【補正対象項目名】０００９
【補正方法】変更
【補正の内容】
【０００９】
本発明のさらに別の実施の形態によれば、前記体幹部体脂肪は、体幹部体脂肪率または体幹部体脂肪量である。
【手続補正７】
【補正対象書類名】明細書
【補正対象項目名】００１０
【補正方法】変更
【補正の内容】
【００１０】
本発明のさらに別の実施の形態によれば、前記全身体脂肪は、全身体脂肪率または全身体脂肪量である。
【手続補正８】
【補正対象書類名】明細書
【補正対象項目名】００１１
【補正方法】変更
【補正の内容】
【００１１】
本発明の別の観点によれば、体脂肪面積と相関のある変数値を測定する変数測定手段または／および体脂肪面積と相関のある変数値を入力する変数入力手段と、体脂肪面積を推定する回帰式を記憶する記憶手段と、前記変数測定手段または／および変数入力手段によるデータと前記記憶手段に記憶された体脂肪面積を推定する回帰式とに基づいて体脂肪面積を演算する演算手段と、演算結果を縦軸に肥満判定指数、横軸に前記体脂肪面積としたマトリクス状のグラフに表示する表示手段とを備えた体脂肪面積を求める装置が提供される。
【手続補正９】
【補正対象書類名】明細書
【補正対象項目名】００１２
【補正方法】変更
【補正の内容】
【００１２】
本発明の一つの実施の形態によれば、前記体脂肪面積は、内臓脂肪の値または皮下脂肪の値または総脂肪の値である。
【手続補正１０】
【補正対象書類名】明細書
【補正対象項目名】００１３
【補正方法】変更
【補正の内容】
【００１３】
本発明のさらに別の実施の形態によれば、前記肥満判定指数は、体格指数またはカウブ指数またはローレル指数である。
【手続補正１１】
【補正対象書類名】明細書
【補正対象項目名】００１４
【補正方法】変更
【補正の内容】
【００１４】
本発明のさらに別の実施の形態によれば、体脂肪面積と相関のある前記変数は、体幹部体脂肪、全身体脂肪、全身インピーダンス、ＢＭＩ、カウブ指数、ローレル指数のいずれか少なくとも一つである。
【手続補正１２】
【補正対象書類名】明細書
【補正対象項目名】００１５
【補正方法】変更
【補正の内容】
【００１５】
本発明のさらに別の実施の形態によれば、前記体幹部体脂肪は、体幹部体脂肪率または体幹部体脂肪量である。
【手続補正１３】
【補正対象書類名】明細書
【補正対象項目名】００１６
【補正方法】変更
【補正の内容】
【００１６】
本発明のさらに別の実施の形態によれば、前記全身体脂肪は、全身体脂肪率または全身体脂肪量である。
【手続補正１４】
【補正対象書類名】明細書
【補正対象項目名】００１７
【補正方法】変更
【補正の内容】
【００１７】
本発明のさらに別の実施の形態によれば、前記表示手段は、判定指標として、目盛線を表示する。
【手続補正１５】
【補正対象書類名】明細書
【補正対象項目名】００１８
【補正方法】変更
【補正の内容】
【００１８】
本発明のさらに別の実施の形態によれば、前記目盛線は、段階的に設けられている。
【手続補正１６】
【補正対象書類名】明細書
【補正対象項目名】００１９
【補正方法】変更
【補正の内容】
【００１９】
本発明のさらに別の実施の形態によれば、前記目盛線は、内臓脂肪面積が１００ｃｍ2であることを示す箇所および内臓脂肪面積が１３０ｃｍ2であることを示す箇所に設けられた目盛線である。
【手続補正１７】
【補正対象書類名】明細書
【補正対象項目名】００２８
【補正方法】変更
【補正の内容】
【００２８】
なお、ここで内臓脂肪面積とは、身体の腹部（主にへそ部位）を断面にしたときの内臓脂肪面積のことをいう。また、皮下脂肪面積とは、身体の腹部（主にへそ部位）を断面にしたときの皮下脂肪面積のことをいう。
【手続補正１８】
【補正対象書類名】明細書
【補正対象項目名】００３６
【補正方法】変更
【補正の内容】
【００３６】
次に、前述したように、演算手段４により体脂肪面積を推定する演算処理について詳述する。演算手段４では、記憶手段３により記憶され、図３に示すようなＸ線ＣＴ装置により求められた体脂肪面積と相関関係にあり、変数値から体脂肪面積を推定する回帰式に基づいて演算し、算出面積として体脂肪面積を求める。
変数値から体脂肪面積を推定する回帰式は、下記（１）式の回帰式で表される。
そして、この（１）式の回帰式に基づいて、個人パラメーター入力手段２により入力された個人パラメーター値と変数測定手段１により測定された変数値とを変数値として、体脂肪面積の推定値を算出面積として演算して求める。
【手続補正１９】
【補正対象書類名】明細書
【補正対象項目名】００３８
【補正方法】変更
【補正の内容】
【００３８】
Ｙ：体脂肪面積の算出面積
Ｘ1、Ｘ2、Ｘ3、……Ｘn ：各変数
ａ、ｂ、ｃ、………、ｙ、ｚ：係数
なお、個人パラメーター値は、（１）式の回帰式におけるＸn にあたる変数値を独立して形成するものでなく、体脂肪面積と相関のある変数値を形成するものとして用いられても良い。例えば、体脂肪面積と相関のある変数である体重と個人パラメーター値である身長を組み合わせたことにより形成された体脂肪面積と相関のある変数値であるＢＭＩ等が挙げられる。
【手続補正２０】
【補正対象書類名】明細書
【補正対象項目名】００４３
【補正方法】変更
【補正の内容】
【００４３】
本発明により、この体重計付き体脂肪計１１は、更に、図１のブロック図に関連して説明した、性別、年齢、身長等の個人パラメーターを入力する個人パラメーター入力手段２と、内臓脂肪面積を推定する回帰式を記憶する記憶手段３と、変数測定手段１および個人パラメーター入力手段２によるデータと記憶手段３による内臓脂肪面積を推定する回帰式とに基づいて内臓脂肪面積を演算する演算手段４と、演算手段４によって求められた内臓脂肪面積の結果から肥満や健康に関する判定指標やアドバイス情報を与えるための判定を行う判定手段５と、判定手段５による判定指標やアドバイス情報を表示するための表示手段６と、これら各手段を制御する制御手段７とを構成する部分を備えている。
【手続補正２１】
【補正対象書類名】明細書
【補正対象項目名】００５０
【補正方法】変更
【補正の内容】
【００５０】
次に、本発明の重要な特徴部分である表示部の表示の態様について、特に、図６から図９を参照して説明する。これから説明する態様の表示を行う表示部としては、図５の具体的構成においては、表示部１４でも表示部２３でも、どちらを利用してもよい。
【手続補正２２】
【補正対象書類名】明細書
【補正対象項目名】００５２
【補正方法】変更
【補正の内容】
【００５２】
図７は、外側に皮下脂肪面積、内側に内臓脂肪面積を同心円として表したグラフにて表示する態様を例示している。外側の縁から内側の円を除いた部分が皮下脂肪面積となる。特に健康に影響を与えるといわれている内臓脂肪面積を同心円で、内臓脂肪面積が１００ｃｍ2（多い、食事制限、運動が必要等）と１３０ｃｍ2（非常に多い、病気の検査が必要等）とを示す箇所に判定指標として円形の目盛線３３および３４を設けた。図６の棒グラフと同様に、求められた内臓脂肪面積が判定基準に対してどの程度多いのか、もしくは少ないのかを視覚的に捕らえることができ、且つ結果に対するインパクトを与えることができることに加えて、総脂肪面積の占める割合、皮下脂肪面積と内臓脂肪面積との割合について、視覚的に捕らえることができ、使用者は容易に自分の健康状態を把握することができる。